(57)【要約】【課題】  文字等が表示されている画面において、該表示内容を見え難くせずに、現在の動作状況等、注意を喚起すべき表示を行うことができるＰＯＳレジスタを提供する。【解決手段】  「チェッカーで登録後小計キーを押す」旨の指示を既存の表示内容を視認できる半透明ポップアップ画面により液晶タッチパネルに表示する（ステップＳｂ１）。商品登録の終了を検知して「チェッカーで登録が終了し、小計キーを押す」旨の指示を半透明ポップアップ画面に表示する（ステップＳｂ２〜Ｓｂ３）。小計キーが押され、半透明ポップアップ画面の表示が消され（ステップＳｂ４〜Ｓｂ５）、商品登録および精算処理が進行する（ステップＳｂ６〜Ｓｂ１２）。お客からの預かり額の変更に対応しお釣りを再計算する再計算モードに移行すると「再計算モード」に移行している旨の半透明ポップアップ画面が表示され、以降、再計算処理が行われる（ステップＳｂ１３〜Ｓｂ１５）。【選択図】      図７
2005250572.tif 000002
【特許請求の範囲】
【請求項１】
少なくとも商品登録内容を表示する画面表示手段を備え、
前記画面表示手段が、
既存の表示内容を視認可能にして該表示内容に重ねて表示される半透明ポップアップ画面によって、注意喚起事項を表示することを、
特徴とするＰＯＳレジスタ。
【請求項２】
装置全体の制御を行う制御手段を有し、
前記注意喚起事項が、前記制御手段の処理状態あるいは前記処理状態に応じたメッセージであることを特徴とする請求項１に記載のＰＯＳレジスタ。
【請求項３】
商品登録を行う商品登録手段を備えたチェッカー部と、
少なくとも前記チェッカー部にて登録された買上データを表示する画面表示手段と、
キャッシャーが前記画面表示手段に表示された内容に基づいて商品の代金の精算を行う精算手段と、
を備えたキャッシャー部とから構成され、
前記チェッカー部において商品登録が完了し前記チェッカーが買上データを確定する操作を行った後、キャッシャーが前記買上データの読み出し操作を行うＰＯＳレジスタであって、
前記画面表示手段が、
既存の表示内容を視認可能にして該表示内容に重ねて表示される半透明ポップアップ画面によって、注意喚起事項を表示することを、
特徴とするＰＯＳレジスタ。
【請求項４】
前記チェッカーが買上データを確定する操作を行うと、
前記画面表示手段が、前記注意喚起事項として、前記キャッシャーが前記買上データの読み出しを行える状態になった旨の表示を行うことを特徴とする請求項３に記載のＰＯＳレジスタ。
【請求項５】
装置全体の制御を行う制御手段を有し、
前記注意喚起事項が、前記制御手段または精算手段の処理状態あるいは前記処理状態に応じたメッセージであることを特徴とする請求項３に記載のＰＯＳレジスタ。
【請求項６】
前記制御手段または精算手段の処理状態が、預かり額の変更時に変更後の預かり額に対する釣り銭を再度計算することができる再計算モードであり、
前記注意喚起事項が、前記処理状態が前記再計算モードである旨の表示である、
ことを特徴とする請求項目２または請求項５のいずれかの項に記載のＰＯＳレジスタ。
【発明の詳細な説明】
【技術分野】
【０００１】
本発明は、主に、スーパーマーケット等の小売店にて使用され、お客が買上げた商品の登録と代金の精算を行えるＰＯＳレジスタに関する。
【背景技術】
【０００２】
現在、スーパーマーケット等の店舗にてお客が買上げた商品の登録と代金の精算用に使用されるＰＯＳレジスタとして、１人のオペレータによって操作される通常のＰＯＳレジスタの他に、チェッカーおよびキャッシャーの２人のオペレータにより操作される、いわゆる２人制のＰＯＳレジスタも使用され、商品の登録および代金の精算の効率が高められている。
【０００３】
例えば、特許文献１には、次のような２人制のＰＯＳレジスタ（商品販売データ処理システム）が記載されている。すなわち、このＰＯＳレジスタは、チェッカー部にてお客の全買い上げ商品の商品登録が行われた後にその代金の金額の確定操作が行われると、このお客の買上データをキャッシャー部から読み出しが可能な記憶エリアに書き込む。そして、この後にキャッシャー部において、小計キーが押されるとその買上データが読み出され、次に、預かり額が置数され、その後、現計キーが押されることにより、精算を行うことができる。
また、上述した操作の後に、異なる預かり額が置数された場合、その後、現計キーが押されることによりお釣りの再計算を行い、再計算された釣銭額を表示するＰＯＳレジスタが、一般的に知られている。
【特許文献１】特開２００３−２８８６４３号公報
【発明の開示】
【発明が解決しようとする課題】
【０００４】
しかしながら、上述した２人制のＰＯＳレジスタにおいては、キャッシャー部において、現計キーや小計キーが操作された場合の処理が、ＰＯＳレジスタの処理状態（買上データ読み出し前の状態、買上データ読み出し後の状態、精算後の状態）に依存して、複数種類あるために、キャッシャーがチェッカー部等の処理状態を把握せずにこれらのキーを操作すると、ＰＯＳレジスタがキャッシャーの意図しない処理をする可能性があり、不要なトラブルを招きかねないという問題があった。
【０００５】
例えば、キャッシャーがお客の登録データを呼び出すために、チェッカー部の処理状態を無視して小計キーを押すと、そのときのチェッカー部では買上データの確定操作が行われていない場合には、キャッシャー部ではデータを呼び出すことはできないがキャッシャーは呼び出したつもりになっていたために次の処理に進んでしまい、精算作業が混乱するという問題があった。
【０００６】
また、この対策として、チェッカー部の処理状態をキャッシャー部の店員用表示器の画面上に表示して、キャッシャーに注意を喚起することが考えられる。しかし、該画面には精算内容等が表示されており、チェッカー部の処理状態を表示することにより、現在表示されている精算内容等を見え難くしないように、例えば、チェッカー部の処理状態を該画面の隅に表示せざるを得ない。これでは、キャッシャーがチェッカー部の処理状態の表示を見逃しやすく、該表示の効果が期待できないという問題もあった。
【０００７】
本発明は、上記事情を考慮してなされたもので、その目的は、現在、文字等が表示されている画面においても、該表示内容を見え難くすることなく、現在の処理状況等、注意を喚起すべき表示を行うことができるＰＯＳレジスタを提供することにある。
また、本発明の他の目的は、キャッシャーがチェッカー部の処理状態を把握してキャッシャー部のキー操作を行うことができる２人制のＰＯＳレジスタを提供することにある。
【課題を解決するための手段】
【０００８】
上記目的を達成するために、この発明では、以下の手段を提案している。
請求項１に係る発明は、ＰＯＳレジスタが、少なくとも商品登録内容を表示する画面表示手段を備え、前記画面表示手段が、既存の表示内容を視認可能にして該表示内容に重ねて表示される半透明ポップアップ画面によって、注意喚起事項を表示することを特徴とする。
この発明によれば、注意を喚起すべき事項を半透明ポップアップ画面上に表示をすることにより、既存の表示データをも同時に見ることができるので、該ポップアップ画面を大きく表示することが可能となる。
【０００９】
請求項２に係る発明は、請求項１に記載のＰＯＳレジスタであって、前記注意喚起事項が、前記登録精算手段の処理状態あるいは前記処理状態に応じたメッセージであることを特徴とする。
この発明によれば、ＰＯＳレジスタの現在の状態あるいはその状態に応じたメッセージを半透明ポップアップ画面上に表示をすることにより、既存の表示データをも同時に見ることができるので、該ポップアップ画面を大きく表示することが可能となる。
【００１０】
請求項３に係る発明は、商品登録を行う商品登録手段を備えたチェッカー部と、少なくとも前記チェッカー部にて登録された買上データを表示する画面表示手段と、キャッシャーが前記画面表示手段に表示された内容に基づいて商品の代金の精算を行う精算手段とを備えたキャッシャー部とから構成され、前記チェッカー部において商品登録が完了し前記チェッカーが買上データを確定する操作を行った後、キャッシャーが前記買上データの読み出し操作を行うＰＯＳレジスタであって、前記画面表示手段が、既存の表示内容を視認可能にして該表示内容に重ねて表示される半透明ポップアップ画面によって、注意喚起事項を表示することを特徴とする。
この発明によれば、２人制のＰＯＳレジスタにおいても、画面表示手段が、注意を喚起すべき事項を半透明ポップアップ画面上に表示をすることにより、既存の表示データをも同時に見ることができるので、該ポップアップ画面を大きく表示することが可能となる。
【００１１】
請求項４に係る発明は、請求項３に記載のＰＯＳレジスタであって、前記チェッカーが買上データを確定する操作を行うと、前記画面表示手段が、前記注意喚起事項として、前記キャッシャーが前記買上データの読み出しを行える状態になった旨の表示を行うことを特徴とする。
この発明によれば、２人制のＰＯＳレジスタにおいて、キャッシャーが、チェッカーによって買上データが確定された後に、買上データを読み出せるようになった旨の表示が、既存の表示データをも同時に見ることができるように、該半透明ポップアップ画面によって、大きく表示することが可能となる。
【００１２】
請求項５に係る発明は、請求項３に記載のＰＯＳレジスタであって、装置全体の制御を行う制御手段を有し、前記注意喚起事項が、前記制御手段または精算手段の処理状態あるいは前記処理状態に応じたメッセージであることを特徴とする。
この発明によれば、２人制のＰＯＳレジスタにおいて、ＰＯＳレジスタの現在の状態あるいはその状態に応じたメッセージを、半透明ポップアップ画面上に表示をすることにより、既存の表示データをも同時に見ることができるので、該ポップアップ画面を大きく表示することが可能となる。
【００１３】
請求項６に係る発明は、請求項２または請求項５のいずれかの項に記載のＰＯＳレジスタであって、前記制御手段または精算手段の処理状態が、預かり額の変更時に変更後の預かり額に対する釣り銭を再度計算することができる再計算モードであり、前記注意喚起事項が、前記処理状態が前記再計算モードである旨の表示であることを特徴とする。
この発明によれば、半透明ポップアップ画面によって、再計算モードへの移行を操作画面上に表示することができるので、キャッシャーがお釣りの再計算が可能な状態である再計算モードに移行しているかあるいは可能か否かを確実に認識することが可能になる。
【発明の効果】
【００１４】
請求項１に係る発明によれば、半透明ポップアップ画面によって、オペレータがキー操作を行うに当たり、確実に注意をすべき事項を既存の表示内容とともに認識することができるので、オペレータがＰＯＳレジスタを誤操作する可能性を減少させることができる。
【００１５】
請求項２に係る発明によれば、半透明ポップアップ画面によって、オペレータがキー操作を行うに当たり、現在の処理状態または処理状態に応じたメッセージを確実に認識することができるので、オペレータがＰＯＳレジスタを誤操作する可能性を減少させることができる。
【００１６】
請求項３に係る発明によれば、２人制のＰＯＳレジスタにおいて、一方のオペレータの操作に依存して変化するＰＯＳレジスタの処理状態を既存の表示内容とともに他方のオペレータが確実に認識できるので、誤操作を減少させることができる。
【００１７】
請求項４に係る発明によれば、２人制のＰＯＳレジスタにおいても、半透明ポップアップ画面によって、キャッシャーがＰＯＳレジスタの現在の状態あるいはその状態に応じたメッセージを確実に認識することができるので、例えば、キャッシャー部において、チェッカーにて処理された買上げデータの読み出し操作を確実に行うことができる。
【００１８】
請求項５に係る発明によれば、２人制のＰＯＳレジスタにおいても、半透明ポップアップ画面によって、オペレータがキー操作を行うに当たり、現在の処理状態または処理状態に応じたメッセージを確実に認識することができるので、オペレータがＰＯＳレジスタを誤操作する可能性を減少させることができる。
【００１９】
請求項６に係る発明によれば、再計算モードへの移行を確実に認識できるので、再計算モードにおいて、同じキーを兼用しても、誤操作を減少できる。 
【発明を実施するための最良の形態】
【００２０】
以下、図面を参照し、この発明の実施形態について説明する。
図１は、本発明の一実施形態におけるＰＯＳレジスタの外観を示す図である。ここでは、スーパーマーケット等の店舗に設置される２人制のＰＯＳレジスタが例示されている。図１において、ＰＯＳレジスタは、商品登録が行われるチェッカー部１と、チェッカー部１で登録される商品の合計金額を表示し、代金の精算を行うキャッシャー部２とから構成される。
チェッカー部１には、デスクとの間に高さ調整部分を含むポールベース１１を介して、液晶タッチパネル１２（商品登録手段）と、操作部１３（商品登録手段）と、スキャナ１４（商品登録手段）と、カードリーダ１５と、顧客側表示器１６とが設置される。また、キャッシャー部２には、キャッシュドロワを含むレジスタ本体２１と、液晶タッチパネル２２（精算手段）（画面表示手段）と、操作部２３（精算手段）と、カードリーダ２４と、スキャナ２５（精算手段）と、顧客側表示器２６と、ジャーナルレシートプリンタ２７とが設置される。
【００２１】
尚、チェッカー部１およびキャッシャー部２の双方に設置される液晶タッチパネル１２、２２は、表示を見ながらタッチすることにより、登録モードや設定モード等のモード切替え、プリセットキーによる商品登録や各種ファイル設定等を行うことができる表示入力装置である。また、キャッシャー部２にある操作部２３には、テンキー、小計キー２８および現計キー２９を含む各種締めキー、締めキー以外のドロアーを開放する機能を持つキー（入金、支払、釣準備、売上回収、ドロアー開放等のキー）、商品登録に関する各キーのそれぞれが割り付けられる。ドロアーは、紙幣、硬貨その他品券や売掛伝票等を収納する金庫であり、必要時のみ、キー操作により図示しないソレノイドがＯＮされて開放され、また、手動で押すことによりロックされる。
【００２２】
一方、顧客側表示器１６、２６、カードリーダ１５、２４ともチェッカー部１、キャッシャー部２の双方に設置され、それぞれ、顧客に精算金額を含む商品情報を通知し、会員カードを読込む機能を持つ。また、チェッカー部１に配置されるスキャナ１４は、商品金額を含む商品情報を読み込む走査装置であり、キャッシャー２に配置されるジャーナルプリンタ２７はレシート発行口の奥に設置され、レシートの印字を行う印字装置である。
【００２３】
図２は、図１に示すＰＯＳレジスタの内部構成を示すブロック図である。
ここでは、制御手段としてのＣＰＵ１０１（精算手段）（制御手段）と記憶装置としてのＲＡＭ１０２をチェッカー１とキャッシャー部２とで共有している。ＣＰＵ１０１は、ＲＯＭ１０３に記録されたプログラムに基づき演算制御を実行するほか、システムに接続される各ブロックを制御する。ＲＡＭ１０２は、商品ファイル、プリセット用ファイル、顧客ファイル等が記憶され、また、後述する一取引毎の登録ログ等を格納するチェッカー領域とキャッシャー領域とを有する。これらについては、図３および図４に示すデータ割り当て図を参照しながら後述する。
【００２４】
尚、図２中、図１に示す番号と同一番号が付された構成は、図１に示すそれと同じとするため、ここでの詳細は重複を回避する意味で説明を省略するが、いずれも図示しない入出力コントローラ、あるいは入出力ポートを介し、アドレス、データ、コントロールのためのラインが複数本で構成されるシステムバス１０９に共通に接続されるものとし、ＣＰＵ１０１の制御の下、それぞれが持つ機能を実行するものである。
また、チェッカー部１における液晶タッチパネル１２と操作部１３は、チェッカー用キー制御部１０６を介し、また、キャッシャー部２における液晶タッチパネル２２と操作部２３は、キャッシャー用キー制御部１０７を介してシステムバス１０９に接続される。さらに、通信部１０８を介して他のＰＯＳレジスタと接続される。
【００２５】
図３は、図２に示す記憶装置としてＲＡＭ１０２の各アドレスに割り付けられるデータをＲＡＭマップとして示した図である。
ここでは、上位アドレスから順に、ワーク領域、キーレイアウトファイル、キーオプションファイル、チェッカー領域、キャッシャー領域、バッファ領域、商品ファイル、顧客ファイル、メッセージテーブルのそれぞれが割り付けられ、格納されている。
ワーク領域は、フラグレジスタ等を設けて計算等を行うために割り付けられる領域である。また、キーレイアウトファィルは、ハードウェア的に決まっているキー番号に対してキー機能を割付けるファイルである。これによりキーレイアウトを自由に設定することができる。チェッカー領域およびキャッシャー領域については後述する。
【００２６】
商品ファイルは、全ての商品についての商品コード、商品名、価格については会員価格が設定してあれば、会員価格／通常価格を設定している。尚、顧客ファイルについては図示省略されているが、顧客番号、氏名、住所、実績、会員であるか否か等の記録をデータフィールドとして持つことはいうまでもない。メッセージテーブルは、後述する、ポップアップ画面２２２に表示されるメッセージ２２３ａ、２２３ｂ、２２３ｃを記憶している。
【００２７】
商品ファイルは、ＲＡＭ１０２内に割り付けられ、液晶タッチパネル１２、２２やキーボード等の操作部１３、２３を介して設定可能であり、商品毎に、商品コード、商品名、通常価格、会員価格等を記録している。会員価格は、会員登録した顧客のみが通常価格よりも安く購入することができる商品のみに設定された単価である。会員単価が“０”の場合は、会員単価は設定されていないものとする。
【００２８】
登録ログファイルは、チェッカー部１、キャッシャー部２のいずれかを問わず、一つのＲＡＭ１０２内のチェッカー領域とキャッシャー領域に設けられている。登録ログデータ領域は、一取引において登録した商品毎に、商品コード、通常金額、会員金額、売数、商品名等、すなわち商品データのうちで実績更新等に必要なデータを記憶している。
ここで、通常金額は商品ファイルに設定された通常金額に売数を乗算した値である。一方、会員金額は商品ファイルに設定された会員金額に売数を乗算した値である。従って、商品ファイルにおいて会員価格が設定されていない商品、すなわち、会員単価として“０”が設定されている商品については、会員金額は０となる。
【００２９】
ＲＡＭ１０２内におけるチェッカー領域とキャッシャー領域の関係を図４に示す。
チェッカー部１における一取引の商品登録の終了後に、現計キーが押下されると、その一取引に係る日時、扱者番号、レシート番号、会員番号、商品登録ログ等の取引データが同じくＲＡＭ１０２内に割り当てられるバッファに書き込まれる。そして、キャッシャー部２においては、小計キーを押下することにより先のバッファに書き込まれたチェッカー部１において登録されたデータを古い順に呼出すことができる。
尚、バッファは、例えば、Ｎ、Ｎ＋１、Ｎ＋２、Ｎ＋３のように、４つのエリアに分けられており、チェッカー部１において登録された新しいデータが順次蓄積される。バッファに蓄積されたデータがキャッシャー部２から読み出され、精算処理される。
【００３０】
このように、チェッカー部用データ領域とキャッシャー部用データ領域を分けて設けることにより、チェッカー部１は現計キー押下後、キャッシャー部２における作業に影響を受けず、次の商品登録を開始することができる。一方、キャッシャー部２は小計キーを押下することにより、チェッカー部１において登録された商品の代金のデータを呼出し、精算業務を行うことが可能である。
つまり、チェッカー部１、キャッシャー部２各々は、互いに影響を受けず作業を行うことができる。
【００３１】
図５は、キャッシャー部２における液晶タッチパネル２２に表示される精算画面２２１ｅを示す図である。精算画面２２１ｅには精算内容等が表示され、その上に、後述する、ポップアップ画面２２２およびポップアップ画面２２２を背景とするメッセージ２２３ｃが重ねて表示される。
【００３２】
ここで、ポップアップ画面２２２は、精算画面２２１ｅ上に、例えば、注意を喚起すべき等の内容のメッセージ２２３ｃを目立つように装飾表示するために、精算画面２２１ｅの中央に表示されて、且つ、内部にメッセージ２２３ｃが表示される半透明の長方形または正方形の画面である。
本実施形態においては、ポップアップ画面２２２が表示される領域においては、精算画面２２１ｅを構成する画素とポップアップ画面２２２を構成する画素とを、隣り合った座標について交互に液晶タッチパネル２２に表示することにより、精算画面２２１ｅ上の文字等の表示内容をポップアップ画面２２２によって隠すことなく表示する構成としている。その構成から、以下、「ポップアップ画面２２２」を「半透明ポップアップ画面２２２」と呼ぶ。ここで、「半透明」とは、自分自身の内容および重ねて表示された内容を共に認識可能な程度に表示する機能を言う。
【００３３】
一方、半透明ポップアップ画面２２２上のメッセージ２２３ｃは同じ座標にある他の表示データに優先して表示される。すなわち、メッセージ２２３ｃの文字を構成する画素は同じ座標にある他の画素に上書きして表示される。これにより、メッセージの視認性を高めている。
【００３４】
図６、図７は、本実施形態におけるＰＯＳレジスタの動作を説明するためのフローチャートであり、チェッカー部１における商品登録処理、キャッシャー部２における精算処理がそれぞれ示されている。
次に、本実施形態におけるＰＯＳレジスタの動作を図６および図７を参照して説明する。
【００３５】
まず、図６に示すフローチャートを用いてチェッカー部１の商品登録処理について説明する。チェッカー部１の電源が投入され、チェッカーが液晶タッチパネル１２上の操作キーまたは操作部１３のキーによって所定の操作を行い、一取引が開始される。チェッカーが、スキャナ１４によって商品に貼付されているラベルのバーコードをスキャンするか、または、液晶タッチパネル１２上の操作キーを操作するかによって、商品コードが入力されたかが判断される（ステップＳａ１）。判断が「ＹＥＳ」であった場合、ステップＳａ２に移行し、入力された商品コードに基づいて商品登録が行われる。また、登録ログデータを合計額と共にお客の買上データとしてＲＡＭ１０２のチェッカー領域に書き込み、ステップＳａ３に移行する。一方、ステップＳａ１における判断が「ＮＯ」であった場合、何も行わずに、ステップＳａ３に移行する。
【００３６】
次に、ステップＳａ３において、チェッカーが操作部１３にある現計キーを押してお客の買上データが確定されたかが判断される。判断が「ＹＥＳ」であった場合、ステップＳａ４に移行し、ＲＡＭ１０２内のバッファの所定のエリアに該データを書き込み、チェッカー部１の商品登録処理が終了する。一方、ステップＳａ３における判断が「ＮＯ」であった場合、つまり、買上データが確定していない場合、ステップＳａ１に戻り、以下の動作を繰り返す。
【００３７】
次に、図７に示すフローチャートを用いてキャッシャー部２の精算処理について説明する。キャッシャー部２の電源が投入され、チェッカー部１と通信可能な状態になった後に、処理が開始される。ステップＳｂ１において、図８に示す精算画面２２１ａのように、「チェッカーで登録後小計キーを押して下さい」というメッセージ２２３ａおよび半透明ポップアップ画面２２２が、液晶タッチパネル２２の画面上に表示される。該メッセージは、「チェッカー部１にて買上データが確定され、キャッシャー部２から買上データを読み出すことができるまでは、キャッシャー部２は読み出し動作を行ってはならない」ということを示す。
このとき、精算画面２２１ａには、ＰＯＳレジスタの起動直後においては、図８に示すように全て「０」の合計額データ（小計、税、合計）が併せて表示される。また、ＰＯＳレジスタにより過去に精算が行われた場合には、そのときの精算データが併せて表示される。
【００３８】
次に、ＲＡＭ１０２内のバッファに買上データがあるか否かが判断される（ステップＳｂ２）。判断が「ＹＥＳ」であった場合、ステップＳｂ３に移行する。一方、判断が「ＮＯ」であった場合、何も行わずにステップＳｂ２に戻り、ステップＳｂ２における判断が「ＹＥＳ」になるまでこの動作が繰り返される。つまり、ＲＡＭ１０２内のバッファに買上データが書き込まれるまで、この動作が繰り返される。
【００３９】
次に、ステップＳｂ３にて、ＲＡＭ１０２内のバッファに買上データが存在し、キャッシャー部２がＲＡＭ１０２内のバッファから買上データを読み出すことが可能になったので、図９に示す精算画面２２１ｂのように、「登録が完了しています。小計キーを押して下さい」というメッセージ２２３ｂおよび半透明ポップアップ画面２２２が、液晶タッチパネル２２の画面上に表示される。つまり、半透明ポップアップ画面２２２上に表示される。メッセージ２２３ａがメッセージ２２３ｂに変更される。
このとき、ステップＳｂ１と同様に、精算画面２２１ｂには、ＰＯＳレジスタの起動直後においては、図９に示すように全て「０」の合計額データが併せて表示される。また、ＰＯＳレジスタにより過去に精算が行われた場合には、そのときの精算データが併せて表示される。
【００４０】
次に、ステップＳｂ４に移行し、キャッシャーが操作部２３にある小計キー２８を押したか否かが判断される。判断が「ＹＥＳ」であった場合、ステップＳｂ５に移行する。一方、判断が「ＮＯ」であった場合、何も行わずにステップＳｂ４に戻り、ステップＳｂ４における判断が「ＹＥＳ」になるまでこの動作が繰り返される。つまり、キャッシャーが小計キー２８を押すまで、この動作が繰り返される。
【００４１】
次に、ステップＳｂ５に移行し、キャッシャーによって小計キー２８が押されたので、半透明ポップアップ画面２２２およびメッセージ２２３ｂの表示が消される。次に、ステップＳｂ６に移行し、ＲＡＭ１０２内の買上データをバッファからキャッシャー領域に読み出す動作が行われる。
【００４２】
次に、ステップＳｂ７に移行し、図１０に示す精算画面２２１ｃのように、ＲＡＭ１０２内のバッファから読み出された買上データおよび合計額データが液晶タッチパネル２２に表示される。このとき、買上データおよび合計額データは、顧客用表示機器２６にも表示される。
【００４３】
次に、キャッシャーが、スキャナ２５によって商品に貼付されているラベルのバーコードをスキャンするか、または、液晶タッチパネル２２上の操作キーを操作するかによって、商品コードが入力されたかが判断される（ステップＳｂ８）。判断が「ＹＥＳ」であった場合、つまり、商品登録がチェッカー部１のみならず、キャッシャー部２においても行われる場合、ステップＳｂ９に移行し、入力された商品コードに基づいて商品登録が行われる。また、登録ログデータを合計額と共にお客の買上データとしてＲＡＭ１０２のキャッシャー領域に書き込み、ステップＳａ１０に移行する。一方、ステップＳｂ８における判断が「ＮＯ」であった場合、つまり、商品登録がチェッカー部１のみにて行われ、キャッシャー部２においては行われない場合は、何も行わずに、ステップＳｂ１０に移行する。
【００４４】
次に、ステップＳｂ１０において、お客が、顧客用表示機器２６に表示されている内容に基づいて、代金をキャッシャーに渡す。そして、キャッシャーがお客から預かった、該代金の預かり額を操作部２３または液晶タッチパネル２２の操作キーによってキャッシャー部２に置数した後に、操作部２３にある現計キー２９を押下したかが判断される。つまり、商品登録が全て終了したか否かが判断される。判断が「ＹＥＳ」であった場合、ステップＳｂ１１に移行する。一方、判断が「ＮＯ」であった場合、つまり、商品登録が全て終了していない場合、ステップＳｂ８に戻り、以下の動作を繰り返す。
【００４５】
次に、商品登録が全て終了したので、ステップＳｂ１１に移行し、以後、該商品登録データに基づいて精算を行い、預かり額に対してお釣りが計算され、以上の金額に基づいて、ジャーナルレシートプリンタ２７においてレシートの発行が行われる。
【００４６】
一方、ステップＳｂ１１とほぼ並行して、ステップＳｂ１２の処理が開始される。そして、図１１に示す精算画面２２１ｄのように、ステップＳｂ７における精算画面２２１ｃに、預かり額およびステップＳｂ１１にて算出されたお釣りの金額のデータを追加されて、液晶タッチパネル２２に表示される。このとき、買上データ、合計額データ、預かり額ならびにお釣りの金額は、顧客用表示機器２６にも表示される。
【００４７】
次に、ステップＳｂ１３に移行し、キャッシャーが現計キー２９を再度押下したかが判断される。これにより、再計算モードに移行する操作が行われたか否かが判断される。判断が「ＹＥＳ」であった場合、すなわち、再計算モードに移行する操作が行われた場合、ステップＳｂ１４に移行し、キャッシャー部２は、再計算モードに移行する。すなわち、これは、お客がステップＳｂ１０にてキャッシャーに渡した預かり額から変更を依頼した場合に変更された預かり額に対するお釣りを計算することが可能なモードをさす。そして、図５に示す精算画面２２１ｅのように、「再計算モード」というメッセージ２２３ｃおよび半透明ポップアップ画面２２２が、液晶タッチパネル２２の画面上に精算画面２２１ｄと共に表示される。該メッセージは、キャッシャー部２が再計算モードに移行したことを示す。
【００４８】
次に、ステップＳｂ１５に移行する。ここにおいて、お客が、変更した金額にて代金を再度キャッシャーに渡し、キャッシャーがお客から再度預かった代金の預かり額を操作部２３または液晶タッチパネル２２の操作キーによってキャッシャー部２に置数した後に、操作部２３にある現計キー２９を押下したかが判断される。つまり、再計算を行うか否かが判断される。判断が「ＹＥＳ」であった場合、ステップＳｂ１６に移行して、再計算を行い、精算画面２２１ｅにおいて、預かり額および釣り銭が、再計算の結果に基づく値に変更、表示される。このとき、買上データ、合計額データ、預かり額ならびにお釣りの金額は、顧客用表示機器２６にも表示される。そして、再計算モードを脱して、ステップＳｂ１７に移行する。
一方、ステップＳｂ１５における判断が「ＮＯ」であった場合、つまり、現計キー２９が押下されなかった場合、何も行わずに再計算モードを脱して、ステップＳｂ１７に移行する。
【００４９】
次に、ステップＳｂ１７にて、半透明ポップアップ画面２２２およびメッセージ２２３ｃの表示が消される。
この結果、ステップＳｂ１７においては、ステップＳｂ１５にて現計キー２９が押下された場合は、図１２に示す精算画面２２１ｆのように、図１１に示す精算画面２２１ｅから、半透明ポップアップ画面２２２およびメッセージ２２３ｃの表示が消され、且つ、預かり額および釣り銭が再計算の結果に基づく値に変更された画面が液晶タッチパネル２２に表示されることになる。一方、ステップＳｂ１５にて現計キー２９が押下されなかった場合は、図１１に示す精算画面２２１ｄのように、図５に示す精算画面２２１ｅから半透明ポップアップ画面２２２およびメッセージ２２３ｃの表示が消され、且つ、預かり額および釣り銭が変化していない画面が表示されることになる。
そして、キャッシャー部２の精算処理が終了する。
【００５０】
一方、ステップＳｂ１３における判断が「ＮＯ」であった場合、再計算モードに移行せずに、キャッシャー部２の精算処理が終了する。このとき、液晶タッチパネル２２には、精算画面２２１ｄが引き続き表示される。
【００５１】
このように、上記実施形態によれば、ＰＯＳレジスタが、自分自身の内容および重ねて表示される内容を共に認識可能な程度に表示する半透明ポップアップ画面を用いてオペレータに注意を喚起すべき表示を目立つように表示するので、画面に表示される内容の視認性を保ちつつ、注意を喚起すべき表示によって操作ミスを減少させることができる。
【００５２】
ここで、ポップアップ画面について説明する。
操作画面を有する機械において、オペレータに注意を喚起するのに、画面上に大きく注意事項を表示することが考えられる。このとき、注意事項を文字のみでなく、例えば、該文字を囲うような四角い枠を設け、この上に該文字を表示させることにより、該文字の存在感を高めることができる。また、この枠を、フレーム状ではなく、同一色にて塗りつぶしにすることにより、さらに、文字を目立たせることができ、同一色にて塗りつぶされた四角形の箱の上に文字を記載する、ポップアップ画面によって注意を喚起することが一般的に行われている。
【００５３】
しかしながら、一般的なポップアップ画面は、上述したように、同一色にて塗りつぶされた四角形の箱であるため、絶えず画面に表示されている内容を確認しながら操作する必要がある機器においては、ポップアップ画面が表示されることにより、該ポップアップ画面が表示される位置に表示されている内容に上書きしてしまう。つまり、ポップアップ画面によって、画面に表示されている内容を隠すことになり、これを回避するためには、ポップアップ画面を小さくする等、本来の目的である「文字を目立たせて表示する」といったことに反する使い方をせざるを得なかった。
【００５４】
そこで、本実施形態においては、ポップアップ画面が表示される領域において、既存の表示を構成する画素とポップアップ画面を構成する画素とを、隣り合った座標について交互に表示することにより、既存の表示内容をポップアップ画面によって隠すことなく表示している。この構成による半透明ポップアップ画面を用いることにより、絶えず、画面に表示されている内容を確認しながら操作する必要のある機器においても、画面に表示される内容を妨害することなく、注意を喚起すべき表示を行うことができる。
【００５５】
尚、本発明は２人制のＰＯＳレジスタに限らず、１人制のＰＯＳレジスタにおいても、該ＰＯＳレジスタの状態等を既存の表示データと共に表示するということに関しては適用可能である。
例えば、訓練モードやメンテナンスモード等の各種モードにおいて動作している最中に、該モードに移行している旨の表示や、あるいは、商品登録中に他の商品の金額確認表示を行うことや、エラーメッセージ等を表示させる方法等にて、適用が可能である。
【００５６】
また、半透明ポップアップ画面およびメッセージは、例えば、淡赤や淡黄色等の目立つ色にて行うと、ポップアップおよびメッセージと、既存の表示データとの区別がつきやすくすることができる。
また、半透明ポップアップ画面の輪郭線の部分のみを太くして、枠のように見せたことで、半透明ポップアップ画面およびメッセージに、さらに注意を引くように見せることができるが、ポップアップ画面を濃くしたりメッセージの文字自体を太くすることにより十分に目立つのであれば、輪郭線を設けなくてもよい。
【００５７】
また、ポップアップ画面を半透明に表示するための方法は、画素毎に既存の表示データとポップアップ表示データの表示輝度をプラスして濃淡により表現したり、排他論理和等の演算結果を表示する等、どのような方法でもよい。
【００５８】
また、１系統のＣＰＵ１０１によって、チェッカー部１またはキャッシャー部２の処理を行う方法として、チェッカー部１またはキャッシャー部２のいずれか一方において待ちの処理が発生した時点において、他方の処理に切り替える方法でもよいし、時間によってチェッカー部１またはキャッシャー部２の処理を行うかを選択する、いわゆる、タイムシェアリング方式でもよい。
【００５９】
また、再計算モードのポップアップ画面は、再計算が可能になっているか、あるいは、再計算を行っている状態であるかを判断して表示する等、どちらでもよい。
【００６０】
以上、本発明の実施形態について図面を参照して詳述したが、具体的な構成はこの実施形態に限られるものではなく、本発明の要旨を逸脱しない範囲での設計変更も含まれる。
【図面の簡単な説明】
【００６１】
【図１】本発明の一実施形態におけるＰＯＳレジスタを構成するチェッカー部１およびキャッシャー部２の外観を示す図である。
【図２】同実施形態におけるＰＯＳレジスタの内部構成を示すブロック図である。
【図３】同実施形態におけるＲＡＭ１０２の各アドレスに割り付けられるデータのメモリマップである。
【図４】同実施形態におけるＲＡＭ１０２に割り付けられるチェッカー領域とキャッシャー領域の関係を説明するための図である。
【図５】同実施形態におけるキャッシャー部２の液晶タッチパネル２２に表示される精算画面２２１ｅを示す図である。
【図６】同実施形態におけるチェッカー部１の動作を示すフローチャートである。
【図７】同実施形態におけるキャッシャー部２の動作を示すフローチャートである。
【図８】図７におけるステップＳｂ１においてキャッシャー部２の液晶タッチパネル２２に表示される精算画面２２１ａを示す図である。
【図９】図７におけるステップＳｂ３においてキャッシャー部２の液晶タッチパネル２２に表示される精算画面２２１ｂを示す図である。
【図１０】図７におけるステップＳｂ７においてキャッシャー部２の液晶タッチパネル２２に表示される精算画面２２１ｃを示す図である。
【図１１】図７におけるステップＳｂ１２においてキャッシャー部２の液晶タッチパネル２２に表示される精算画面２２１ｄを示す図である。
【図１２】ステップＳｂ１５にて現計キー２９が押下された場合に、図７におけるステップＳｂ１７においてキャッシャー部２の液晶タッチパネル２２に表示される精算画面２２１ｆを示す図である。
【符号の説明】
【００６２】
１・・・チェッカー部、２・・・キャッシャー部、１１・・・ポールベース、１２・・・液晶タッチパネル（商品登録手段）、１３・・・操作部（商品登録手段）、１４・・・スキャナ（商品登録手段）、１５・・・カードリーダ、１６・・・顧客側表示器、２１・・・レジスタ本体、２２・・・液晶タッチパネル（精算手段）（画面表示手段）、２３・・・操作部（精算手段）、２４・・・カードリーダ、２５・・・スキャナ（精算手段）、２６・・・顧客側表示器、２７・・・ジャーナルレシートプリンタ、２８・・・小計キー、２９・・・現計キー、１０１・・・ＣＰＵ（精算手段）（制御手段）、１０２・・・ＲＡＭ、１０３・・・ＲＯＭ、２２１ａ、２２１ｂ、２２１ｃ、２２１ｄ、２２１ｅ、２２１ｆ・・・精算画面、２２２・・・半透明ポップアップ画面、２２３ａ、２２３ｂ、２２３ｃ・・・メッセージ
【図１】
2005250572.tif 000003
【図２】
2005250572.tif 000004
【図３】
2005250572.tif 000005
【図４】
2005250572.tif 000006
【図５】
2005250572.tif 000007
【図６】
2005250572.tif 000008
【図７】
2005250572.tif 000009
【図８】
2005250572.tif 000010
【図９】
2005250572.tif 000011
【図１０】
2005250572.tif 000012
【図１１】
2005250572.tif 000013
【図１２】
2005250572.tif 000014